(57)【要約】吹出口（６）に、幅方向に沿って複数のルーバ（２１）が設けられ、幅方向の端部に位置するルーバ（２１）の先端が吹出口（６）の側壁（１５）に近づくように、端部のルーバ（２１）が斜めに設けられる。吹出口（６）の側壁（１５）は、送風方向に平行に形成される。端部のルーバ（２１）により、幅方向の中間部からバランスのよいイオンが端部側に寄せられ、端部から吹き出されるイオンが合流して、端部側のイオンバランスがよくなる。幅方向の端部から吹き出されるイオンのバランスの悪化を防ぎながら、イオンを幅広く吹き出すことができる。
2016038938.tif 000002
【特許請求の範囲】
【請求項１】
放電によりイオンを発生するイオン発生装置と、通風路内に発生したイオンを送風により吹出口から外部に放出させるファンとを備えたイオン発生機であって、吹出口に、幅方向の端部から吹き出されるイオンに幅方向の中間部から吹き出されるイオンを合流させる案内部が設けられたことを特徴とするイオン発生機。
【請求項２】
吹出口に、幅方向に沿って複数のルーバが設けられ、幅方向の端部側のルーバと吹出口の側壁とが送風方向の下流側に向かうにつれて近づくように設けられることにより案内部が構成されたことを特徴とする請求項１記載のイオン発生機。
【請求項３】
幅方向の端部に位置するルーバの先端が側壁に近づくように、ルーバが斜めに設けられたことを特徴とする請求項１または２記載のイオン発生機。
【請求項４】
吹出口の側壁は、送風方向に平行に形成されたことを特徴とする請求項１〜３のいずれかに記載のイオン発生機。
【請求項５】
イオン発生装置は、正イオンを発生させるための正放電電極と負イオンを発生させるための負放電電極とを有し、正放電電極と負放電電極とは幅方向に交互に配置され、ファンは、複数の羽根車を有するクロスフローファンとされ、羽根車の軸方向の中央が各放電電極と対向することを特徴とする請求項１〜４のいずれかに記載のイオン発生機。
【発明の詳細な説明】
【技術分野】
【０００１】  本発明は、空気中の放電によってイオンを発生するイオン発生機に関する。
【背景技術】
【０００２】  イオン発生機では、空気中での放電により正イオンおよび負イオンを発生し、発生したイオンが空気中に放出される。放出された正イオンおよび負イオンが帯電している物体に当たると、物体表面の静電気が中和され、物体が除電される。【０００３】  物体の除電を行うには、正イオンと負イオンが均等に分布していなければならない。特許文献１に記載されたイオン発生機では、幅方向および前後方向に正放電電極と負放電電極が交互に並び、前後の放電電極に交互に電圧が印加される。これにより、空間的にも時間的にも正イオンおよび負イオンが均等に発生し、均一なイオンバランスが実現できる。
【先行技術文献】
【特許文献】
【０００４】
【特許文献１】特開２０１４−１５４４１６号公報
【発明の概要】
【発明が解決しようとする課題】
【０００５】  吹出口が幅方向に広がるように形成されているとき、吹出口の幅方向の端部から吹き出されるイオンは、吹出口の側壁に沿って外側に広がっていく。幅方向の端部から吹き出されるイオンは拡散され、幅方向の中間部に比べて、端部から吹き出されたイオンはバランスが崩れやすい。イオンバランスが悪くなると、除電すべき物体を帯電させてしまう。【０００６】  本発明は、上記に鑑み、幅方向の端部から吹き出されるイオンのバランスの悪化を防ぎながら、イオンを幅広く吹き出すことができるイオン発生機の提供を目的とする。
【課題を解決するための手段】
【０００７】  本発明のイオン発生機は、放電によりイオンを発生するイオン発生装置と、通風路内に発生したイオンを送風により吹出口から外部に放出させるファンとを備え、吹出口に、幅方向の端部から吹き出されるイオンに幅方向の中間部から吹き出されるイオンを合流させる案内部が設けられたものである。【０００８】  案内部により、端部側のイオンと中間部からのイオンとが混じり合う。これにより、端部側のイオンのバランスが崩れても、バランスのよいイオンが混じるので、端部側のイオンバランスが改善される。【０００９】  吹出口に、幅方向に沿って複数のルーバが設けられ、幅方向の端部側のルーバと吹出口の側壁とが送風方向の下流側に向かうにつれて近づくように設けられることにより案内部が構成される。すなわち、端部のルーバおよび吹出口の側壁は、端部側から吹き出すイオンと中間部から吹き出すイオンが合流するように案内する。【００１０】  幅方向の端部に位置するルーバの先端が側壁に近づくように、ルーバが斜めに設けられる。吹出口の側壁は、送風方向に平行に形成される。ルーバが吹出口の側壁に近づいていく配置となり、中間部からバランスのよいイオンが端部側に広がる。【００１１】  イオン発生装置は、正イオンを発生させるための正放電電極と負イオンを発生させるための負放電電極とを有し、正放電電極と負放電電極とは幅方向に交互に配置され、ファンは、複数の羽根車を有するクロスフローファンとされ、羽根車の軸方向の中央が各放電電極と対向する。羽根車の中央の風速は最大である。放電電極から発生したイオンがファンの強い風によって遠くまで届けられる。【００１２】  本発明によると、幅方向の中間部からバランスのよいイオンを端部側に導くことにより、イオンバランスの悪化を防止でき、均一なイオンバランスを有するイオンを吹き出すことができる。
【図面の簡単な説明】
【００１３】
【図１】本発明のイオン発生機の斜視図
【図２】イオン発生機の正面図
【図３】イオン発生機の背面図
【図４】イオン発生機の断面図
【図５】イオン発生装置が設けられた通風路および吹出口を示す図
【図６】イオン発生機の制御ブロック図
【図７】イオン発生装置に対するイオンセンサの位置を示す図
【図８】クロスフローファンの風速分布に対する放電電極の位置関係を示す図
【図９】通風路の一部を形成する基板カバーおよび回路基板を示す図
【図１０】通風路の下壁の正面図
【図１１】他の形態の通風路および吹出口を示す図
【図１２】他の形態の通風路および吹出口を示す図
【発明を実施するための形態】
【００１４】（第１実施形態）  本実施形態のイオン発生機を図１〜５に示す。イオン発生機は、イオンを発生するイオン発生装置１と、発生したイオンを外部に放出するファン２と、イオン発生装置１およびファン２を収納するハウジング３と、ハウジング３を回動可能に支持するスタンド４とを備えている。スタンド４は、回動されたハウジング３の角度を保持する機能を有し、ハウジング４の角度を調整できる。イオン発生装置１は、正イオンおよび負イオンを発生する。正イオンおよび負イオンが物体の表面に帯びている電荷を除去することにより、被対象物体を除電できる。すなわち、本イオン発生機は、除電装置として使用される。
【００１５】  ハウジング３の上面に吸込口５が形成され、前面に吹出口６が形成される。ハウジング３内に、吸込口５から吹出口６に至る通風路７が形成される。送風路７内の吸込口５の近くにフィルタが設けられる。
【００１６】  通風路７の入口側に、ファン２が配される。ファン２は、クロスフローファンとされ、ハウジング３に回動可能に保持される。クロスフローファンは、複数の羽根車１０が軸方向に連結されてなり、一端に配されたモータ１１によって回転される。したがって、ファン２による送風方向は、前後方向において後側から前側に向かう方向となる。
【００１７】  ファン２よりも下流側では、通風路７は、四方を壁に囲まれて、下方から水平になるように湾曲し、ハウジング３の前面に向かってほぼ水平に形成される。通風路７の左右の側壁１５は、互いに平行にかつ下壁１６に対して垂直に形成される。通風路７の上壁１７は、前側に向かって斜め上に傾斜している。通風路７は、左右方向の幅は変わらない、すなわち上流側から下流側にかけて左右方向の幅は同じである。そして、下流側に向かうにつれて上方に広がる。
【００１８】  ハウジング３の前面に凹部２０が形成され、凹部２０の奥側が開口され、通風路７に連通している。この凹部２０が吹出口６とされる。通風路７の左右の側壁１５が延長されて、吹出口６の左右の側壁とされる。吹出口６の左右方向の幅は通風路７の左右方向の幅と同じである。吹出口６は、前側に向かうにつれて上下に広がっている。吹出口６に、左右方向の風向きを決めるルーバ２１が設けられる。なお、２２は左右方向に延びた水平板である。
【００１９】  イオン発生装置１は、２つの放電電極２５、２６を有し、針状の２つの放電電極２５、２６が樹脂製のケース２７に収容される。ケース２７内に、各放電電極２５、２６に高電圧を印加する高電圧発生回路２８が設けられている。放電電極２５、２６は、正イオンを発生する正放電電極２５と、負イオンを発生する負放電電極２６とされ、各放電電極２５、２６が左右方向に所定の間隔をあけて並べて配置される。
【００２０】  イオン発生機は、複数のイオン発生装置１を備えている。イオン発生装置１は、通風路７の上壁１７に設けられる。イオン発生装置１の下部は、通風路７内に位置し、放電電極２５、２６が通風路７に臨む。図５に示すように、複数のイオン発生装置１が一定間隔で前後左右に並んで配置される。すなわち、３つのイオン発生装置１が左右方向に一列に並べられる。また、２列のイオン発生装置１が送風方向に沿って前後に並べられる。通風路７において、後列のイオン発生装置１は、前列のイオン発生装置１よりも低い位置にある。送風方向の上流側では、イオンは低い位置で発生し、下流側では、上流側よりも高い位置で発生する。これにより、吹き出されるイオンは上下方向に広がる。
【００２１】  隣り合うイオン発生装置１において、前後左右の放電電極２５、２６は逆極性となる。すなわち、前後に並んだイオン発生装置１において、送風方向の上流側（後列）に負放電電極２６あるとき、下流側（前列）には正放電電極２５がくる。また、左右方向に並んだイオン発生装置１において、一方のイオン発生装置１に正放電電極２５があるとき、隣のイオン発生装置１では負放電電極２６がくる。
【００２２】  図６に示すように、イオン発生機は、運転スイッチ３０および風量スイッチ３１と、イオン発生装置１およびファンを駆動制御する制御装置３２とを備えている。運転スイッチ３０は、ハウジング３の前面に設けられる。制御装置３２は、運転スイッチ３０のオンによりイオン発生装置１およびファン２を動作させる。運転スイッチ３０がオンされると、制御装置３２は、各イオン発生装置１の高電圧発生回路２８の駆動を制御する。また、風量スイッチ３１が操作されると、制御装置３２は、設定された風量に応じてファン２の回転数を変える。これにより、風量の強弱が切り替えられる。
【００２３】  高電圧発生回路２８は、正放電電極２５および負放電電極２６に対し、同レベルの高電圧を印加する。制御装置３２は、一定の周期で印加と印加停止とを繰り返すように高電圧発生回路２８を制御する。これにより、１つのイオン発生装置１において、一定の周期で同量の正イオンおよび負イオンが同時に発生する。
【００２４】  そして、前列のイオン発生装置１の高電圧発生回路２８と後列のイオン発生装置１の高電圧発生回路２８とは、半周期ずれて駆動される。すなわち、後列のイオン発生装置１がイオンを発生しているとき、前列のイオン発生装置１は停止している。前列のイオン発生装置１がイオンを発生しているとき、後列のイオン発生装置１は停止している。前後のイオン発生装置１は交互に同量の正イオンおよび負イオンを発生する。発生したイオンは、ファン２の駆動によって発生する風によって通風路７内を運ばれる。そして、正イオンおよび負イオンは、吹出口６から被対象物体に向かって吹き出される。
【００２５】  このように、前後左右に正負の放電電極２５、２６が交互に並び、周期的に放電することにより、空間的にも時間的にも正イオンおよび負イオンが均等に発生することになり、均一なイオンバランスを実現できる。したがって、除電装置としての機能を十分に発揮させることができる。
【００２６】  ところで、イオン発生装置１に異常が発生すると、イオンが発生しなくなったり、あるいは発生するイオン量が少なくなる。また、フィルタが目詰まりすると、ファン２による風量が低下して、検出されるイオン量が少なくなる。このような異常を検出するために、イオン発生機は、イオンの発生の有無を検出するイオンセンサ３３を備えている。
【００２７】  イオンセンサ３３は、イオンを捕集して、捕集したイオン量に応じて電位を発生する。この電位に応じた検出値が制御装置３２に出力される。検出値はイオン量に比例する。また、イオンセンサ３３が正イオンを検出したときの検出値は、負イオンを検出したときの検出値とは逆極性となる。
【００２８】  制御装置３２は、検出値に基づいてイオンの発生の有無を判断する。イオンが発生していないとき、あるいは発生したイオン量が少ないとき、検出値は規定値より低くなる。検出値が規定値より低いとき、制御装置３２は、イオンが発生していないと判断し、検出値が規定値以上のとき、制御装置３２は、イオンが発生していると判断する。イオンの発生無しと判断されたとき、制御装置３２は、運転を停止して、異常を報知する。ユーザは、イオン発生装置１のクリーニング、イオン発生装置１の交換、フィルタの交換あるいはクリーニングといった対処を行う。
【００２９】  イオンの検出は、全てのイオン発生装置１が対象とされる。そのため、イオンセンサ３３は複数設けられる。できる限りイオンセンサ３３の使用個数を少なくするために、１つのイオンセンサ３３は、複数のイオン発生装置１を検出対象とする。そこで、図７に示すように、イオンセンサ３３は、前後に並んだイオン発生装置１の間に設けられる。イオンセンサ３３は、通風路７の下壁１６に設けられ、通風路７を挟んでイオン発生装置１と対向する。３つのイオンセンサ３３が、左右方向に等間隔に並んで配置される。
【００３０】  ここで、吹出口６の左右方向（幅方向）において、左右の端部では、通風路７から吹出口６の側壁１５に沿って風が吹くが、側壁１５との摩擦により風が乱れやすくなる。そのため、風が乱れない左右方向の中間部では、イオンバランスは均一となるが、端部では、イオンバランスが崩れるおそれがある。そこで、吹出口６に、幅方向の端部から吹き出されるイオンに幅方向の中間部から吹き出されるイオンを合流させる案内部が設けられる。
【００３１】  案内部は、幅方向の端部側のルーバ２１と吹出口６の側壁１５とにより構成される。図５に示すように、ルーバ２１は、左右方向に２つ設けられているが、各ルーバ２１が左右の端部側のルーバに相当する。各ルーバ２１は、左右方向に隣り合うイオン発生装置１の間に対向するように配置される。そして、左右のルーバ２１は、下流側の先端が側壁１５に近づくように、送風方向に対して斜めに設けられる。なお、ルーバ２１に対向する吹出口６の左右の側壁１５は、送風方向に平行である。このように、通風路７、ファン２、イオン発生装置１の放電電極２５，２６、ルーバ２１の配置は、左右対称とされる。
【００３２】  イオン発生装置１から発生したイオンは、ファン２の送風により通風路７内を運ばれ、ルーバ２１に風向きを制御されながら吹出口６から吹き出される。正イオンと負イオンとは同量発生するので、左右方向の中間部では、イオンは均等に広がりながら前方に吹き出される。そのため、中間部では正イオンおよび負イオンの分布が均一となり、イオンバランスがよい。
【００３３】  図５に示すように、均等に広がったイオンの一部は、ルーバ２１によって端部側に寄っていくように吹き出される。左右方向の端部では、イオンは、前方に向かって吹き出されるが、ルーバ２１に案内された風により、端部側に寄っていくように送風の向きが変えられる。吹出口６の側壁１５に沿って吹き出されたイオンは、中間部から寄せてきたイオンと合流して、左右に広がって吹き出される。
【００３４】  これにより、端部から吹き出されるイオンのバランスが崩れていても、中間部からバランスのよいイオンが吹き寄せてくるので、イオンが混ざり合うことによってイオンバランスがよくなる。したがって、左右方向全体にわたってバランスよくイオンが吹き出される。正イオンおよび負イオンが均一に分布して、被対象物体を除電するのに適した送風を実現することができる。
【００３５】（第２実施形態）  イオン発生機のファン２として、クロスフローファンが用いられる。図８に示すように、クロスフローファンは、複数の羽根車１０が連結されて構成される。隣り合う羽根車１０は、仕切板によって仕切られる。そのため、ファン２の風速分布は、羽根車１０ごとに表れる。各羽根車１０の左右方向の中央で風速が大となる。そこで、風速分布に基づいてイオン発生装置１の放電電極２５，２６が位置決めされる。なお、その他の構成は、第１実施形態と同じである。
【００３６】  放電電極２５，２６は、ファン２の風速が最大となる位置に合わせて配置される。すなわち、羽根車１０の左右方向の中央を通る直線上に、前列および後列の正放電電極２５あるいは負放電電極２６が位置する。ここで、左右方向において、各放電電極２５，２６は等間隔に配置される。隣り合う放電電極２５，２６の間隔と羽根車１０の軸方向の長さとは同じとなる。
【００３７】  放電電極２５，２６の周囲には、強い風が吹く。放電電極２５，２６から発生したイオンは、強い風によって遠くまで吹き流される。これにより、イオン発生機から遠い範囲までバランスの取れたイオンを吹き出すことができる。また、風速を下げても、所定の範囲までイオンを吹き出せる。従来のファンに比べて、ファン２の回転数を下げることができ、消費電力を低減できる。
【００３８】（第３実施形態）  イオン発生機では、制御装置３２や電源装置といった電装部品がハウジング３に内装される。電装部品は、回路基板に搭載され、回路基板は、基板カバーに覆われて、ハウジング３内に設置される。ところで、ハウジング３には、ファン２が内装され、通風路７が形成される。そのため、小型化されたハウジング３では、基板カバーに覆われた電装部品の設置スペースが限られてしまう。
【００３９】  本実施形態のイオン発生機では、部品を共用することにより、限られたスペースに電装部品４０を設置できるようにする。図９に示すように、電装部品４０は、回路基板４１に搭載される。また、回路基板４１に、電源ケーブルを接続するための端子台４２が設けられる。
【００４０】  図４に示すように、回路基板４１は、ハウジング３の後部において、ハウジング３の下隅と湾曲した通風路７との間に形成された収容スペース４３に配置される。そして、回路基板４１は、基板カバー４４に覆われる。基板カバー４４は、電気絶縁性、難燃性の合成樹脂によって形成される。基板カバー４４は、回路基板４１と通風路７との間に配される。なお、その他の構成は第１および第２実施形態と同じである。
【００４１】  図１０に示すように、基板カバー４４は通風路７を形成する部材の一部として利用される。すなわち、基板カバー４４の上面は、通風路７を形成する下壁１６に合わせて湾曲して形成される。下壁１６の湾曲部分に、開口４５が形成され、基板カバー４４の上面に盛り上がった段部４６が設けられる。段部４６が下壁１６の開口４５に嵌め込まれ、基板カバー４４の上面が下壁１６の裏面に密着する。段部４６の表面と下壁１６の表面とは面一とされ、送風の抵抗にはならない。
【００４２】  このように、基板カバー４４を共用することにより、下壁１６の一部が不要となり、この部分の材料を節減できる。そして、基板カバー４４が通風路７の形状に応じた形状にされることにより、通風路７と基板カバー４４との間に無駄な隙間ができず、省スペース化を図れる。
【００４３】  また、図４に示すように、回路基板４１は、ハウジング３の底面に突設されたボス５０にねじ止めされ、端子台４２は受台５１に載置される。基板カバー４４に、補強用のリブ５２が設けられる。リブ５２は、基板カバー４４の上面から下方に向かって形成される。このリブ５２は、端子台４２を固定する機能を有する。端子台４２は、後面に向かって開放されるように形成され、風量スイッチ３１が設けられる。
【００４４】  基板カバー４４がハウジング３に取り付けられているとき、リブ５２は、端子台４２の前面に接触する。電源ケーブルが端子台４２に設けられたコネクタに着脱されるとき、端子台４２が押される。リブ５２が端子台４２を支えているので、端子台４２は移動しない。振動等による不要な負荷が回路基板４１にかかることを防止できる。これにより、回路基板４１上での断線や部品の剥離などを防げる。
【００４５】（第４実施形態）  イオン発生機が除電装置として使用されるとき、工場の製造ラインなどの一定の状況で使用される。このとき、イオン発生機の風量は、被対象物体に応じて設定される。イオン発生機が設置されるとき、イオン発生機の位置や角度が調整される。このとき、設定された風量になるように、風量スイッチ３１が操作される。イオン発生機の運転中、風量が変更されることはない。そのため、運転中に風量スイッチ３１が操作されないようにしておく必要がある。そこで、風量スイッチ３１は、人目につかない位置に設けられる。なお、その他の構成は第１、第２および第３実施形態と同じである。
【００４６】図４に示すように、風量スイッチ３１は、ハウジング３の後部に設けられる。風量スイッチ３１は、端子台４２に取り付けられ、端子台４２は、ハウジング３内の収容スペース４３に配置される。ハウジング３の後面に、収容スペース４３に通じる開口５３が形成され、開口５３を塞ぐ蓋５４が開閉可能に設けられる。風量スイッチ３１は開口５３に臨み、蓋５４を開けると、風量スイッチ３１が現れ、風量スイッチ３１の操作が可能となる。イオン発生機の使用中は、ハウジング３の前面に設けられた運転スイッチ３０が操作され、運転のオンオフが行われる。この間、風量スイッチ３１が操作されることはない。このように、風量スイッチ３１は外部から見えないので、風量スイッチ３１が誤って操作されることを防げる。除電装置としての機能を維持でき、被対象物体の歩留まりが向上する。
【００４７】  以上の通り、本発明のイオン発生機は、放電によりイオンを発生するイオン発生装置１と、通風路７内に発生したイオンを送風により吹出口６から外部に放出させるファン２とを備え、吹出口６に、幅方向の端部から吹き出されるイオンに幅方向の中間部から吹き出されるイオンを合流させる案内部が設けられる。これにより、端部側からバランスが崩れたイオンが吹き出されても、中間部からバランスのよいイオンが寄せられてきて、端部側でのイオンバランスを改善できる。
【００４８】  吹出口６に、幅方向に沿って複数のルーバ２１が設けられ、幅方向の端部側のルーバ２１と吹出口６の側壁１５とが送風方向の下流側に向かうにつれて近づくように設けられることにより案内部が構成される。このような案内部により、端部側のイオンと中間部のイオンとを混じり合わせることができる。
【００４９】  幅方向の端部に位置するルーバ２１の先端が側壁１５に近づくように、ルーバ２１が斜めに設けられる。吹出口６の側壁１５は、送風方向に平行に形成される。これにより、中間部からバランスのよいイオンを端部側に広がるように、吹き出されるイオンを案内できる。
【００５０】  イオン発生装置１は、正イオンを発生させるための正放電電極２５と負イオンを発生させるための負放電電極２６とを有し、正放電電極２５と負放電電極２６とは幅方向に交互に配置され、ファン２は、複数の羽根車１０を有するクロスフローファンとされ、羽根車１０の軸方向の中央が各放電電極２５，２６と対向する。これにより、放電電極２５，２６から発生したイオンを強い風で吹き出すことができる。
【００５１】  また、本発明のイオン発生機は、放電によりイオンを発生するイオン発生装置１と、通風路７内に発生したイオンを送風により吹出口６から外部に放出させるファン２と、イオン発生装置１およびファン２を内装するハウジング３とを備え、イオン発生機を動作させるための電装部品４０を搭載した回路基板４１と、回路基板４１を覆う基板カバー４４とがハウジング３に内装され、基板カバー４４が通風路７の一部を構成する。これにより、部材を削減でき、ハウジング３の省スペース化を図れる。
【００５２】  通風路７の下壁１６に開口４５が形成され、開口４５に基板カバー４４の上面の一部が嵌め込まれる。これにより、通風路７と基板カバー４４との間に、不要なスペースができない。
【００５３】  本発明のイオン発生機は、放電によりイオンを発生するイオン発生装置１と、通風路７内に発生したイオンを送風により吹出口６から外部に放出させるファン２と、イオン発生装置１およびファン２を内装するハウジング３と、ファン２の風量を変える風量スイッチ３１を備え、風量スイッチ３１は、ハウジング３内に設けられる。これにより、風量スイッチ３１が誤って操作されることを防止できる。
【００５４】  ハウジング３の前面に、運転スイッチ３０が設けられ、回路基板４１に風量スイッチ３１が設けられ、ハウジング３の後部に、回路基板４１を収容する収容スペース４３が設けられ、ハウジング３の後面に収容スペース４３に通じる開口５３が形成され、風量スイッチ３１は開口５３に臨み、開口５３を開閉する蓋５４が設けられる。これにより、風量スイッチ３１を人目につかなくできる。
【００５５】  なお、本発明は、上記実施形態に限定されるものではなく、本発明の範囲内で上記実施形態に多くの修正および変更を加え得ることは勿論である。イオン発生機は、空気調和機、空気清浄機、除湿機、加湿機、冷蔵庫、掃除機、洗濯機、照明機器、ファンヒータ、画像処理装置などの電気機器に搭載されたものであってもよい。
【００５６】  図１１に示すように、イオン発生装置１が左右方向に３つ以上配置されてもよい。このとき、ルーバ２１は、各イオン発生装置１の間に対向した位置に設けられる。そして、左右の端部のルーバ２１は、斜めに設けられ、左右方向の中間部のルーバ２１は、送風方向に平行に設けられる。
【００５７】  図１２に示すように、案内部を構成する吹出口６の側壁１５が、下流側の先端が左右方向の中間部に近づくように、送風方向に対して斜めに設けられる。端部のルーバ２１は、斜めに設けられる。吹出口６の側壁１５に沿って吹き出されたイオンは、中間部に寄り、ルーバ２１により中間部から寄ってきたイオンと混ざり、左右に広がって吹き出される。端部側のバランスの悪いイオンが左右に広がらずに、バランスのよいイオンと混ざることにより、端部側でのイオンバランスが改善される。
【符号の説明】
【００５８】        １    イオン発生装置        ２    ファン        ６    吹出口        ７    通風路      １５    側壁      １６    下壁      １７    上壁      ２１    ルーバ      ２５    正放電電極      ２６    負放電電極      ３０    運転スイッチ      ３１    風量スイッチ      ４１    回路基板      ４２    端子台      ４４    基板カバー      ５２    リブ      ５３    蓋
【図１】
2016038938.tif 000003
【図２】
2016038938.tif 000004
【図３】
2016038938.tif 000005
【図４】
2016038938.tif 000006
【図５】
2016038938.tif 000007
【図６】
2016038938.tif 000008
【図７】
2016038938.tif 000009
【図８】
2016038938.tif 000010
【図９】
2016038938.tif 000011
【図１０】
2016038938.tif 000012
【図１１】
2016038938.tif 000013
【図１２】
2016038938.tif 000014
【国際調査報告】
2016038938.tif 000015
2016038938.tif 000016
2016038938.tif 000017
2016038938.tif 000018